(57)【要約】【課題】  液晶表示装置を用いたフィールドシーケンシャル方式の立体映像視聴システムにおいて、映像クロストークを回避するとともに、観測映像の輝度低下を低減させた映像制御装置を提供する。【解決手段】  右眼用映像表示期間である右フィールドと、左眼用映像表示期間である左フィールドとの間に、黒映像を表示する期間である黒フィールドを配置する。シャッタ眼鏡の左右シャッタは、左右フィールドの開始に同期して開口を開始し、隣接する黒フィールドの終了に同期して閉口を開始する。【選択図】  図１
2011199841.tif 000002
【特許請求の範囲】
【請求項１】
走査ラインを順次走査することにより画面に映像を表示する表示手段に、右眼用映像と左眼用映像とを時分割で交互に表示させ、その切換えに同期して、シャッタ眼鏡の左右のシャッタを交互に開閉させることにより、立体映像を視聴させる立体映像制御装置であって、
立体映像を表示させるための映像信号を入力する入力手段と、
前記映像信号から右眼用映像信号、左眼用映像信号及び黒映像信号をそれぞれ生成する映像処理手段と、
右眼用映像と左眼用映像との切換えに同期した同期信号を、シャッタ眼鏡に送信する送信手段と、
前記映像処理手段と前記送信手段とを連携制御する制御手段とを有し、
前記表示手段は、ホールド表示手段であり、右眼用映像を表示するために走査ラインをアドレッシングする期間である右フィールドと、左眼用映像を表示するために走査ラインをアドレッシングする期間である左フィールドと、右フィールドと左フィールドの間に配置され、黒映像を表示するために走査ラインをアドレッシングする期間である黒フィールドとからなるフレームにより立体映像を表示し、
前記制御手段は、前記シャッタ眼鏡の右シャッタは、前記右フィールドの開始に同期して開口を開始し、該右フィールドの後に配置された黒フィールドの終了に同期して閉口を開始し、前記シャッタ眼鏡の左シャッタは、前記左フィールドの開始に同期して開口を開始し、該左フィールドの後に配置された黒フィールドの終了に同期して閉口を開始するように、前記同期信号を前記送信手段に送信させることを特徴とする立体映像制御装置。
【請求項２】
前記各フィールドの前部分には垂直ブランキング期間が配置され、
前記シャッタ眼鏡の右シャッタは、前記右フィールド内の垂直ブランキング期間の開始に同期して開口を開始し、該右フィールドの後に配置された黒フィールドの終了時点から所定時間前の時点で閉口を開始し、
前記シャッタ眼鏡の左シャッタは、前記左フィールド内の垂直ブランキング期間の開始に同期して開口を開始し、該左フィールドの後に配置された黒フィールドの終了時点から所定時間前の時点で閉口を開始することを特徴とする請求項１記載の立体映像制御装置。
【請求項３】
前記所定時間は、前記右シャッタ又は左シャッタが、開口開始から開口状態に達するまでの時間に対応する時間である立上り時間である請求項２記載の立体映像制御装置。
【請求項４】
前記所定時間は、前記立上り時間から前記垂直ブランキング期間を差し引いた時間である請求項３記載の立体映像制御装置。
【請求項５】
前記表示手段は、アクティブマトリクス型液晶表示装置である請求項１記載の立体映像制御装置。
【請求項６】
走査ラインを順次走査することにより画面に映像を表示する表示手段に、右眼用映像と左眼用映像とを時分割で交互に表示させ、その切換えに同期して、シャッタ眼鏡の左右のシャッタを交互に開閉させることにより、立体映像を視聴させる立体映像制御装置であって、
立体映像を表示させるための映像信号を入力する入力手段と、
前記映像信号から右眼用映像信号、左眼用映像信号及び黒映像信号をそれぞれ生成する映像処理手段と、
右眼用映像と左眼用映像との切換えに同期した同期信号を、シャッタ眼鏡に送信する送信手段と、
前記映像処理手段と前記送信手段とを連携制御する制御手段とを有し、
前記表示手段は、セミホールド表示手段であり、右眼用映像を表示するために走査ラインをアドレッシングする期間である右フィールドと、左眼用映像を表示するために走査ラインをアドレッシングする期間である左フィールドと、黒映像を表示するために走査ラインをアドレッシングする期間である黒フィールドとからなるフレームにより立体映像を表示し、
前記フレームは、同じ右眼用映像を表示する少なくとも２つの右フィールドと、同じ左眼用映像を表示する少なくとも２つの左フィールドとからなり、前記黒フィールドは、前記少なくとも２つの右フィールドの間及び前記少なくとも２つの左フィールドの間、前記右フィールドと前記左フィールドの間にそれぞれ配置されており、
前記制御手段は、前記シャッタ眼鏡の右シャッタは、前記右フィールドの間に配置された黒フィールドの開始又は前記右フィールドと左フィールドの間に配置された黒フィールドの終了に同期して開口を開始し、前記右フィールドの間に配置された黒フィールドの終了又は前記右フィールドと左フィールドの間に配置された黒フィールドの開始に同期して閉口を開始し、前記シャッタ眼鏡の左シャッタは、前記左フィールドの間に配置された黒フィールド開始又は前記右フィールドと左フィールドの間に配置された黒フィールドの終了に同期して開口を開始し、前記左フィールドの間に配置された黒フィールド終了又は前記右フィールドと左フィールドの間に配置された黒フィールドの開始に同期して閉口を開始するように、前記同期信号を前記送信手段に送信させることを特徴とする立体映像制御装置。
【請求項７】
走査ラインを順次走査することにより画面に映像を表示する表示手段に、右眼用映像と左眼用映像とを時分割で交互に表示させ、その切換えに同期して、シャッタ眼鏡の左右のシャッタを交互に開閉させることにより、立体映像を視聴させる立体映像制御装置の制御方法であって、
立体映像を表示させるための映像信号を入力するステップと、
前記映像信号から右眼用映像信号、左眼用映像信号及び黒映像信号をそれぞれ生成するステップと、
右眼用映像と左眼用映像との切換えに同期した同期信号を、シャッタ眼鏡に送信するステップとを有し、
前記表示手段は、走査アドレッシング同期型のホールド表示手段であり、右眼用映像を表示するために走査ラインをアドレッシングする期間である右フィールドと、左眼用映像を表示するために走査ラインをアドレッシングする期間である左フィールドと、右フィールドと左フィールドの間に配置され、黒映像を表示するために走査ラインをアドレッシングする期間である黒フィールドとからなるフレームにより立体映像を表示し、
前記シャッタ眼鏡の右シャッタは、前記右フィールドの開始に同期して開口を開始し、該右フィールドの後に配置された黒フィールドの終了に同期して閉口を開始し、前記シャッタ眼鏡の左シャッタは、前記左フィールドの開始に同期して開口を開始し、該左フィールドの後に配置された黒フィールドの終了に同期して閉口を開始することを特徴とする立体映像制御装置の制御方法。
【請求項８】
走査ラインを順次走査することにより画面に映像を表示する表示手段に、右眼用映像と左眼用映像とを時分割で交互に表示させ、その切換えに同期して、シャッタ眼鏡の左右のシャッタを交互に開閉させることにより、立体映像を視聴させる立体映像制御装置の制御方法であって、
立体映像を表示させるための映像信号を入力するステップと、
前記映像信号から右眼用映像信号、左眼用映像信号及び黒映像信号をそれぞれ生成するステップと、
右眼用映像と左眼用映像との切換えに同期した同期信号を、シャッタ眼鏡に送信するステップとを有し、
前記表示手段は、セミホールド表示手段であり、右眼用映像を表示するために走査ラインをアドレッシングする期間である右フィールドと、左眼用映像を表示するために走査ラインをアドレッシングする期間である左フィールドと、黒映像を表示するために走査ラインをアドレッシングする期間である黒フィールドとからなるフレームにより立体映像を表示し、
前記フレームは、同じ右眼用映像を表示する少なくとも２つの右フィールドと、同じ左眼用映像を表示する少なくとも２つの左フィールドとからなり、前記黒フィールドは、前記少なくとも２つの右フィールドの間及び前記少なくとも２つの左フィールドの間、前記右フィールドと前記左フィールドの間にそれぞれ配置されており、
前記制御手段は、前記シャッタ眼鏡の右シャッタは、前記右フィールドの間に配置された黒フィールドの開始又は前記右フィールドと左フィールドの間に配置された黒フィールドの終了に同期して開口を開始し、前記右フィールドの間に配置された黒フィールドの終了又は前記右フィールドと左フィールドの間に配置された黒フィールドの開始に同期して閉口を開始し、前記シャッタ眼鏡の左シャッタは、前記左フィールドの間に配置された黒フィールド開始又は前記右フィールドと左フィールドの間に配置された黒フィールドの終了に同期して開口を開始し、前記左フィールドの間に配置された黒フィールド終了又は前記右フィールドと左フィールドの間に配置された黒フィールドの開始に同期して閉口を開始することを特徴とする立体映像制御装置の制御方法。
【発明の詳細な説明】
【技術分野】
【０００１】
本発明は、表示される映像を立体映像として視聴可能とする立体映像制御装置及びその制御方法に関する。
【背景技術】
【０００２】
映像表示装置で右眼映像と左眼映像とを時分割で交互に表示し、その切換えに同期して左右のシャッタを交互に開閉するシャッタ眼鏡を通して映像を見ることで、立体映像が視聴可能な立体映像視聴システムが知られている。
【０００３】
このようなフィールドシーケンシャル（ＦＳ）方式の立体映像表示システムにおいて、映像表示装置として液晶表示装置（ＬＣＤ）が用いられる場合には、右眼映像と左眼映像とが混在して観測される映像のクロストークが問題となっている。下記特許文献１には、以下のようなシャッタ眼鏡システムが開示されている。シャッタ眼鏡のシャッタの開放を開始する時点及びその開放期間をスライドさせながら、映像の混じりの最も少ない理想のシャッタの開放を開始する時点及びその開放期間を、色センサを用いて検出するものである。
【０００４】
また、下記特許文献２には、右眼用画像と左眼用画像を２フレーム毎に交互に表示させることにより、クロストークを抑制した立体映像表示装置が記載されている。
【先行技術文献】
【特許文献】
【０００５】
【特許文献１】特開２００９−２３００７１号公報
【特許文献２】特開２００９−０３１５２３号公報
【発明の概要】
【発明が解決しようとする課題】
【０００６】
しかしながら、従来のＬＣＤ立体映像視聴システムでは、観測映像の輝度の確保と映像クロストークの解消との両立が十分になされていなかった。
【課題を解決するための手段】
【０００７】
本発明の立体映像制御装置は、走査ラインを順次走査することにより画面に映像を表示する表示手段に、右眼用映像と左眼用映像とを時分割で交互に表示させ、その切換えに同期して、シャッタ眼鏡の左右のシャッタを交互に開閉させることにより、立体映像を視聴させる立体映像制御装置であって、
立体映像を表示させるための映像信号を入力する入力手段と、
前記映像信号から右眼用映像信号、左眼用映像信号及び黒映像信号をそれぞれ生成する映像処理手段と、
右眼用映像と左眼用映像との切換えに同期した同期信号を、シャッタ眼鏡に送信する送信手段と、
前記映像処理手段と前記送信手段とを連携制御する制御手段とを有し、
前記表示手段は、ホールド表示手段であり、右眼用映像を表示するために走査ラインをアドレッシングする期間である右フィールドと、左眼用映像を表示するために走査ラインをアドレッシングする期間である左フィールドと、右フィールドと左フィールドの間に配置され、黒映像を表示するために走査ラインをアドレッシングする期間である黒フィールドとからなるフレームにより立体映像を表示し、
前記制御手段は、前記シャッタ眼鏡の右シャッタは、前記右フィールドの開始に同期して開口を開始し、該右フィールドの後に配置された黒フィールドの終了に同期して閉口を開始し、前記シャッタ眼鏡の左シャッタは、前記左フィールドの開始に同期して開口を開始し、該左フィールドの後に配置された黒フィールドの終了に同期して閉口を開始するように、前記同期信号を前記送信手段に送信させることを特徴とする。
【発明の効果】
【０００８】
本発明によれば、右眼映像フィールドと左眼映像フィールドの間に黒映像フィールドを挿入し、シャッタ眼鏡のシャッタの開期間を黒映像フィールドを含んだ期間とすることにより、観測映像の輝度の確保と映像クロストークの解消とを両立させることが可能となった。
【図面の簡単な説明】
【０００９】
【図１】本発明に係る立体映像視聴システムのブロック図
【図２】本発明に係る実施例の液晶表示装置の走査ラインアドレッシングとシャッタ眼鏡のシャッタ開口期間との関係を説明するための説明図
【図３】本発明に係るシャッタ眼鏡のシャッタ開閉タイミングを説明するための説明図
【図４】映像クロストークを説明するための説明図
【図５】本発明に係る他の実施例の液晶表示装置の走査ラインアドレッシングとシャッタ眼鏡のシャッタ開口期間との関係を説明するための説明図
【図６】本発明に係る他の実施例の有機ＥＬ表示装置の走査ラインアドレッシングとシャッタ眼鏡のシャッタ開口期間との関係を説明するための説明図
【発明を実施するための形態】
【００１０】
（実施例１）
以下、図面を用いて本発明の実施形態を説明する。図１は、本発明に係る立体映像制御装置１、表示部７及びシャッタ眼鏡８（以降、眼鏡）からなる立体映像視聴システムのブロック図である。立体映像制御装置１は、ビデオレコーダ、セットトップボックス（ＳＴＢ）及び表示部７と一体になった立体映像対応テレビ（３ＤＴＶ）の何れかである。
【００１１】
入力部２は、映像ソースから立体映像信号を入力する。映像ソースとしては、デジタル放送やインターネットを介した映像コンテンツ配信システム、ビデオプレーヤ等の外部映像機器である。
【００１２】
入力した立体映像信号は、映像処理部３で左眼用映像信号、右眼用映像信号及びシャッタ眼鏡制御用同期信号（以下、同期信号）に分離される。同期信号は、送信部５より眼鏡８に、赤外線通信又は無線通信の通信媒体を用いて送信される。眼鏡８の制御部（不図示）は、受信した同期信号に同期して左右シャッタの開閉を制御する。
【００１３】
出力部４は、映像処理部３から入力した左右眼用映像信号を、表示部７の仕様に適合した立体映像表示用の表示データに変換して表示部７へ出力する。表示部７は、右眼用表示データと左眼用表示データとに基いて、右眼用映像と左眼用映像とを、フレームを時分割したフィールド毎に交互に表示する。
【００１４】
制御部６は、リモコンを用いたユーザ操作に応答して、以下のように各ブロックを連携制御する。ユーザが映像ソースとしてデジタル放送を選択すると、制御部６は、入力部２をデジタル放送入力に設定し、ユーザが選択したチャンネルの放送信号を受信する。入力部２は、外部からの入力インターフェイスとしてデジタルチューナを含んでいる。制御部６は、予めデジタル放送を介して取得している番組情報を参照して、受信したチャンネルで放送中の選択番組が３Ｄ番組か否かを識別する。制御部６は、選択番組が３Ｄ番組である場合には、映像処理部３を通常の２Ｄ映像信号の映像処理から立体映像信号用の映像処理に切換える。また、同期信号を眼鏡に送信するように送信部５を制御する。
【００１５】
ユーザは、表示部７で表示された立体映像を、シャッタ眼鏡を通した観測映像として見ることにより３Ｄコンテンツを視聴することができる。
【００１６】
表示部７は、走査ラインを順次走査し、走査に同期して、表示データに基く信号パルスを信号ラインに印加することにより画面に映像を表示する。表示部７としては、走査アドレッシング同期型のホールド表示であるアクティブマトリクス型液晶表示装置（以下、ＬＣＤ）が用いられる。走査アドレッシング同期型とは、走査ラインのアドレッシングに同期して、選択された走査ライン上にある画素（アドレスされた画素）が表示データに対応した輝度で点灯するものである。プラズマディスプレイパネルのように走査ラインのアドレッシングと画素の点灯期間とが異なるような表示方法は、走査アドレッシング非同期型である。表示画面は、１９２０×１０８０の画素数で、表示フレームレート（リフレッシュレート）は、２４０Ｈｚである。
【００１７】
また、ホールド型表示とは、アドレスされた画素の輝度が次にアドレスされるまで実質的に保持される表示方法である。
【００１８】
本発明においては、１フレームを右眼用映像と左眼用映像との両方を合わせたアドレッシング期間と定義する。右眼用映像と左眼用映像の各々のアドレッシング期間は、それぞれ右フィールドＲ、左フィールドＬと定義する。
【００１９】
眼鏡８は、液晶シャッタ眼鏡であり、液晶素子としてはＴＮ型又は光散乱型が用いられる。液晶層への電界印加によりシャッタ開から閉へ変化し、電界解除によりシャッタ閉から開へ変化するノーマリホワイトモードが用いられる。また、シャッタの開閉の開始は、制御部６の指示によって生成された同期信号のパルスの立上がりと立下りとに同期している。
【００２０】
図４は、各フィールドでの走査アドレッシングと眼鏡のシャタ開閉タイミングの関係を示している。ＬＣＤは、右フィールドＲと左フィールドＬとで交互に走査される。
【００２１】
図４（Ａ）は、右フィールドＲ、左フィールドＬに同期して、眼鏡の右シャッタＳＲ、左シャッタＳＬがそれぞれ開状態となることを示している。このような同期制御では、右フィールドＲには前のフィールドのＬフィールド映像（Ｌ）が、左フィールドＬには前のフィールドのＲフィールド映像（Ｒ）がそれぞれ混入する。
【００２２】
図４（Ｂ）は、右フィールドＲ及び左フィールドＬそれぞれの後部に配置された垂直ブランキング期間（以後、ブランキング期間）ｂの期間のみ、左右のシャッタを開口する例を示している。観測映像はブランキング期間でのみ形成されるので、ＬＣＤのバックライトはブランキング期間で点灯し、その他の期間は消灯することができる。このような同期制御では、前フィールドの映像の混入は回避されるが、表示映像の観測期間が極端に短くなり、観測映像の輝度が低下する。
【００２３】
図２は、本発明に係るＬＣＤの走査アドレッシングのタイミングと眼鏡のシャッタ開閉のタイミングとの関係を示している。右フィールドＲと左フィールドＬとの間には、黒を表示する黒フィールドＢが挿入されている。各フィールド間に配置されているブランキング期間ｂは省略されている。黒フィールドＢでは、入力立体映像信号とは別に、装置内部で生成された黒を表示するための黒映像信号が表示データとして表示部７に出力される。
【００２４】
図２（Ａ）は、各フィールドでの走査アドレッシングのタイミングを示している。表示画面の最上部から下方に向かって走査ラインが順次選択される。即ち、各走査ライン上にある画素に配置されたＴＦＴのゲートに、ゲート信号が走査ライン毎に順次印加される。各フィールドはプログレッシブに走査され、フィールド周波数は２４０Ｈｚである。１フレームは、右フィールドＲ、左フィールドＬ及び２つの黒フィールドＢからなる４フィールドで構成されるので、フレームレートは６０Ｈｚである。右フィールドＲ、左フィールドＬ及び黒フィールドＢのそれぞれのフィールド期間は全て等しい。ゲート信号に同期して表示データに対応したソース信号がＴＦＴのソースに印加されることによって、液晶が応答する。
【００２５】
図２（Ｂ）は、眼鏡の右シャッタＳＲと左シャッタＳＬそれぞれの開閉タイミングを示している。縦軸は、シャッタの透過率を示し、透過率最大の状態がシャッタ開口状態である（透過率最小が閉）。右シャッタＳＲは、右フィールドＲの開始に同期して開口開始し、右フィールドＲに続く黒フィールドＢの終了に同期して閉口開始する。左シャッタＳＬも同様に、左フィールドＬの開始に同期して開口開始し、左フィールドＬに続く黒フィールドＢの終了に同期して閉口開始する。
【００２６】
尚、左右フィールドそれぞれの前に隣接する黒フィールドの開始に同期して、左右シャッタが開口し、その黒フィールドに続く左右フィールドの終了に同期して、左右シャッタが閉口してもよい。
【００２７】
このように同期制御することにより、前のフィールドで書込まれた映像が黒映像により消去されるので、図４（Ａ）で示されたような映像の混入を回避することができる。また、１フィールド分の表示期間で表示映像が観測されるので、観測映像の輝度を確保することもできる。
【００２８】
右フィールド期間と左フィールド期間とは等しいが、黒フィールド期間は、左右フィールド期間と等しくなくてもよい。黒フィールド期間は、左又は右フィールド期間の１／４〜３／４に設定することもできる。
【００２９】
（実施例２）
本実施例は、眼鏡のシャッタの応答時間に応じてシャッタ開閉の開始タイミングを制御するものである。
【００３０】
図２（Ｃ）は、フィールド毎の左右シャッタの開閉の開始タイミングと応答状態を示している（ブランキング期間は省略）。また、図３は、右シャッタＳＲの開閉の開始タイミングと応答状態の詳細を示している。ＬＣＤの右フィールド内と黒フィールド内の前部分には、ブランキング期間ｂ（５００μｓｅｃ）が配置されている。
【００３１】
シャッタを構成する液晶素子の応答時間は、ノーマリホワイトモードでは立上り時間τｒより立下り時間τｄのほうが短く、それぞれ２ｍｓｅｃ、１ｍｓｅｃである。立上り時間τｒ及び立下り時間τｄは、シャッタの最小透過率を０％、最大透過率を１００％として、それぞれ透過率１０％から９０％に達する時間及び透過率９０％から１０％に達する時間である。
【００３２】
右シャッタＳＲは、右フィールドＲの前部分にあるブランキング期間ｂ１の開始時点ｔ０に同期して開口を開始し、立上り時間τｒを経て開口状態となる。そして、右フィールドＲの後に隣接する黒フィールドＢの後に続く左フィールド内のブランキング期間ｂ３の終了時点ｔ１から立上り時間τｒ分だけ早い時点で閉口を開始する。黒フィールドＢの終了時点からは、立上り時間τｒからブランキング期間を差し引いた時間分だけ早い時点で閉口を開始する。
【００３３】
同様に、左シャッタＳＬは、左フィールド内の前部分にあるブランキング期間の開始時点に同期して開口開始し、立上り時間τｒを経て開口状態となる。そして、左フィールドＬの後に隣接する黒フィールドＢの後に続く右フィールド内のブランキング期間の終了時点から立上り時間τｒ分だけ早い時点で閉口開始する。
【００３４】
このようにシャッタ開閉の開始を制御することにより、先頭走査ライン上の画素の観測期間τ１と最終走査ライン上の画素の観測期間τ１０８０とは等しくなる。但し、この場合中間付近の走査ライン上の画素の観測期間は、τ１（τ１０８０）よりも長くなる。従って、観測期間の差が観測映像画面全体として目立たないように、閉口開始時点を上述の開始時点よりも所定時間遅らせてもよい。シャッタの閉口の開始時点ｔ２を、以下の式のように、ブランキング期間ｂ３の終了時点ｔ１から立上り時間（τｒ）と（τｒ／２）の間の時間分だけ早い時点としてもよい。
ｔ１−τｒ≦ｔ２≦ｔ１−τｒ／２
このように左右フィールド内のブランキング期間の開始に同期して開口開始し、隣接する黒フィールドの終了時点より所定時間前に閉口開始することにより、各走査ライン上の画素の観測期間が均一化される。そのため、画面全体として均一な輝度の立体表示映像が観測される。
【００３５】
（実施例３）
図５は、本発明の他の実施例に係るＬＣＤの走査アドレッシングのタイミングと眼鏡のシャッタ開閉のタイミングとの関係を示している。
【００３６】
連続した２つの右フィールドと左フィールドとの間に黒フィールドが配置される。右シャッタＳＲは、先の右フィールドＲ１の開始に同期して開口開始し、次の右フィールドＲ２に続く黒フィールドＢの終了に同期して閉口開始する。左シャッタＳＬも同様に、先の左フィールドＬ１の開始に同期して開口開始し、次の左フィールドＬ２に続く黒フィールドＢの終了に同期して閉口開始する。
【００３７】
Ｒ１、Ｒ２には、１フィールドの右眼用映像信号に基いた、同じ右眼用映像データが２回ＬＣＤに出力されてもよいし、２フィールドの右眼用映像信号に基いた、異なる右眼用映像データがそれぞれ出力されてもよい。Ｌ１、Ｌ２についても同様である。
【００３８】
このようにタイミング制御することにより、ＬＣＤの液晶の応答が遅い場合でも、観測映像画面内での輝度を均一化することができる。
【００３９】
（実施例４）
図６は、本発明の他の実施例に係る有機ＥＬ表示装置（ＯＬＥＤ）の走査アドレッシングのタイミングと眼鏡のシャッタ開閉のタイミングとの関係を示している。
【００４０】
ＯＬＥＤは、アクティブマトリクス型の表示パネルが用いられる。また、走査アドレッシングの中間で、リセット動作が開始されるデューティー１／２のセミホールド表示が用いられる。即ち、セミホールド表示は、走査アドレッシングによりアドレスされた画素に付与された輝度が、次にアドレスされるまで保持されずに、走査アドレッシングの途中で輝度がリセットされるような表示である。リセット動作により、ホールドされた映像が消去され、黒画像が表示される。デューティーとは、走査アドレッシング期間に対する、走査アドレッシング開始からリセット動作開始までの期間の割合である。リセット動作により、ホールドされた映像が消去され、黒画像が表示される。デューティーは、１／４〜３／４が好適である。
【００４１】
各フィールドは、右フィールドＲ１、黒フィールドＢ１、右フィールドＲ２、黒フィールドＢ２、左フィールドＬ１、黒フィールドＢ３、左フィールドＬ２、黒フィールドＢ４、・・・、のように順番に配置される。右シャッタＳＲは、右フィールドＲ１に続く黒フィールドＢ１の開始又は右フィールドＲ１の前の黒フィールドの終了に同期して開口開始し、黒フィールドＢ１の終了又は次の黒フィールドＢ２の開始に同期して閉口開始する。左シャッタＳＬも同様に、黒フィールドＢ３の開始又は黒フィールドＢ２の終了に同期して開口開始し、黒フィールドＢ３の終了又は黒フィールドＢ４の開始に同期して閉口開始する。
【００４２】
Ｒ１、Ｒ２には、１フィールドの右眼用映像信号に基いた、同じ右眼用映像データが２回ＯＬＥＤに出力される。即ちＲ１とＲ２では同じ映像が表示される。Ｌ１、Ｌ２についても同様である。
【００４３】
このようにタイミング制御することにより、クロストークを抑制できるとともに、観測映像画面内での表示期間を均一化することができ、観測映像画面内での輝度を均一化することができる。
【符号の説明】
【００４４】
１  立体映像制御装置
２  入力部
３  映像処理部
４  出力部
５  送信部
６  制御部
７  表示部
８  シャッタ眼鏡
【図１】
2011199841.tif 000003
【図２】
2011199841.tif 000004
【図３】
2011199841.tif 000005
【図４】
2011199841.tif 000006
【図５】
2011199841.tif 000007
【図６】
2011199841.tif 000008